(57)【要約】      （修正有）【課題】媒体の鑑別が一巡したかどうかを判定することが可能な媒体処理装置を提供する。【解決手段】複数の媒体を収納する第１の収納部１５０と、前記複数の媒体を鑑別し、且つ、前記各媒体に記載された識別情報を読み取る鑑別部１３０と、前記第１の収納部から前記鑑別部へ第１の順番で前記各媒体を搬送する第１の搬送部１１０と、前記鑑別部により所定の鑑別結果が得られた前記媒体を第２の順番で前記第１の収納部に戻す第２の搬送部１１０ｂと、前記鑑別部が読み取った前記媒体の前記識別情報を第１の識別情報として前記第１の順番で記憶する第１の記憶部と、前記第１の収納部に戻された前記媒体の前記識別情報を第２の識別情報として前記第２の順番で記憶する第２の記憶部と、前記鑑別部による前記複数の媒体に対する鑑別が一巡したかを判定する判定部とを備える媒体処理装置１０を提供する。【選択図】図２
2019066916.tif 000002
【特許請求の範囲】
【請求項１】
複数の媒体を収納する第１の収納部と、
前記複数の媒体を鑑別し、且つ、前記各媒体に記載された識別情報を読み取る鑑別部と、
前記第１の収納部から前記鑑別部へ、第１の順番で前記各媒体を搬送する第１の搬送部と、
前記鑑別部により所定の鑑別結果が得られた前記媒体を、前記第１の順番と逆である第２の順番で前記第１の収納部に戻す第２の搬送部と、
前記鑑別部が読み取った前記媒体の前記識別情報を第１の識別情報として前記第１の順番で記憶する第１の記憶部と、
前記第１の収納部に戻された前記媒体の前記識別情報を第２の識別情報として前記第２の順番で記憶する第２の記憶部と、
前記鑑別部による前記複数の媒体に対する鑑別が一巡したかを判定する判定部と、
を備え、
前記判定部は、
前記第１の識別情報が、前記第２の記憶部に記憶された前記第２の識別情報と一致した場合には、
前記第１の識別情報の次に前記第１の記憶部に記憶された後続の前記第１の識別情報と、前記第２の識別情報の次に前記第２の記憶部に記憶された後続の前記第２の識別情報とが一致するかを判定し、
または、
前記第１の識別情報の前に前記第１の記憶部に記憶された先行の前記第１の識別情報と、前記第２の識別情報の前に前記第２の記憶部に記憶された先行の前記第２の識別情報とが一致するかを判定する、
媒体処理装置。
【請求項２】
前記鑑別部により所定の鑑別結果が得られなかった前記媒体を収納する第２の収納部をさらに備える、請求項１に記載の媒体処理装置。
【請求項３】
前記第１の搬送部により前記第１の収納部から前記鑑別部へ搬送される際には、前記複数の媒体はそれぞれ分離されて搬送される、請求項１又は２に記載の媒体処理装置。
【請求項４】
前記第２の搬送部により前記鑑別部から前記第１の収納部へ搬送される際には、前記媒体は、貯留部に貯留された後に、前記貯留部から前記第１の収納部へ搬送される、請求項１〜３のいずれか１項に記載の媒体処理装置。
【請求項５】
前記貯留部は前記媒体を搬送する搬送部として機能する、請求項４に記載の媒体処理装置。
【請求項６】
前記鑑別部は、前記媒体を異常媒体と鑑別することにより、前記所定の鑑別結果を得る、請求項１〜５のいずれか１項に記載の媒体処理装置。
【請求項７】
前記識別情報は前記媒体に印字された記番号である、請求項１〜６のいずれか１項に記載の媒体処理装置。
【請求項８】
前記第１の収納部は、顧客からの前記媒体の投入を受け付け、前記顧客へ前記媒体を返却する接客部である、請求項１〜７のいずれか１項に記載の媒体処理装置。
【発明の詳細な説明】
【技術分野】
【０００１】
本発明は、媒体処理装置に関する。
【背景技術】
【０００２】
紙幣入出金機（媒体処理装置）は、例えば現金自動預払機（ＡＴＭ：Ａｕｔｏｍａｔｅｄ  Ｔｅｌｌｅｒ  Ｍａｃｈｉｎｅ）等に設けられ、紙幣の入金処理、出金処理等を行うものである。
【０００３】
紙幣入出金機の入金処理では、まず、紙幣入出金機は、顧客から投入された紙幣（媒体）を接客部に収納し、収納した複数の紙幣を、１枚ずつ分離して、接客部の供給口を介して内部に設けられた鑑別部へ供給する。そして、当該鑑別部は各紙幣に対して鑑別を行い、鑑別部により異常紙幣（偽券、損券等）と判定された紙幣は、返却口を介して接客部へ返却される。なお、上記接客部においては、鑑別部によって鑑別がなされていない紙幣と、鑑別部によって鑑別がなされて上記接客部へ返却された紙幣とを区別するための仕切り等は設けられていない。従って、上記紙幣入出金機は、紙幣の鑑別部への供給を継続して行うこととなるが、この際、まだ鑑別部によって鑑別がなされていない紙幣に後続して、接客部に返却された異常紙幣が供給されることとなる。一度鑑別部によって鑑別された紙幣は、再度鑑別部に再度供給され、再度鑑別されなくてもよいが、接客部に収納された複数の紙幣が全て鑑別部によって鑑別されたか否か、すなわち、接客部に収納された複数の紙幣の鑑別が一巡したかを判定できない場合には、紙幣入出金機は、鑑別部への紙幣の供給を続けることとなる。
【０００４】
そこで、鑑別がなされていない紙幣が発生することを避けつつ、鑑別部への紙幣の供給の停止を適切なタイミングで行うために、紙幣入出金機においては、接客部に収納された複数の紙幣が全て鑑別部によって鑑別されたか否か、すなわち、接客部に収納された複数の紙幣の鑑別が一巡したかを判定する。例えば、下記特許文献１に開示の紙幣入出金機では、鑑別部により、紙幣に印字された記番号を読取り、読取った記番号の一致と一致した紙幣の順番とにより、紙幣の鑑別が一巡したかを判定していた。
【先行技術文献】
【特許文献】
【０００５】
【特許文献１】特開２０１４−１６４３９９号公報
【発明の概要】
【発明が解決しようとする課題】
【０００６】
しかしながら、紙幣入出金機（媒体処理装置）の装置の内部構成を変えた場合には、上記特許文献１の開示の判定によって、紙幣（媒体）の鑑別が一巡したかどうかを判定することができない。
【０００７】
そこで、本発明は、このような状況を鑑みてなされたものであり、本発明の目的とするところは、媒体の鑑別が一巡したかどうかを判定することが可能な、新規且つ改良された媒体処理装置を提供することにある。
【課題を解決するための手段】
【０００８】
上記課題を解決するために、本発明のある観点によれば、複数の媒体を収納する第１の収納部と、前記複数の媒体を鑑別し、且つ、前記各媒体に記載された識別情報を読み取る鑑別部と、前記第１の収納部から前記鑑別部へ、第１の順番で前記各媒体を搬送する第１の搬送部と、前記鑑別部により所定の鑑別結果が得られた前記媒体を、前記第１の順番と逆である第２の順番で前記第１の収納部に戻す第２の搬送部と、前記鑑別部が読み取った前記媒体の前記識別情報を第１の識別情報として前記第１の順番で記憶する第１の記憶部と、前記第１の収納部に戻された前記媒体の前記識別情報を第２の識別情報として前記第２の順番で記憶する第２の記憶部と、前記鑑別部による前記複数の媒体に対する鑑別が一巡したかを判定する判定部と、を備え、前記判定部は、前記第１の識別情報が、前記第２の記憶部に記憶された前記第２の識別情報と一致した場合には、前記第１の識別情報の次に前記第１の記憶部に記憶された後続の前記第１の識別情報と、前記第２の識別情報の次に前記第２の記憶部に記憶された後続の前記第２の識別情報とが一致するかを判定し、または、前記第１の識別情報の前に前記第１の記憶部に記憶された先行の前記第１の識別情報と、前記第２の識別情報の前に前記第２の記憶部に記憶された先行の前記第２の識別情報とが一致するかを判定する、媒体処理装置が提供される。
【０００９】
前記媒体処理装置は、前記鑑別部により所定の鑑別結果が得られなかった前記媒体を収納する第２の収納部をさらに備えてもよい。
【００１０】
前記第１の搬送部により前記第１の収納部から前記鑑別部へ搬送される際には、前記複数の媒体はそれぞれ分離されて搬送されてもよい。
【００１１】
前記第２の搬送部により前記鑑別部から前記第１の収納部へ搬送される際には、前記媒体は、貯留部に貯留された後に、前記貯留部から前記第１の収納部へ搬送されてもよい。
【００１２】
前記貯留部は前記媒体を搬送する搬送部として機能してもよい。
【００１３】
前記鑑別部は、前記媒体を異常媒体と鑑別することにより、前記所定の鑑別結果を得てもよい。
【００１４】
前記識別情報は前記媒体に印字された記番号であってもよい。
【００１５】
前記第１の収納部は、顧客からの前記媒体の投入を受け付け、前記顧客へ前記媒体を返却する接客部であってもよい。
【発明の効果】
【００１６】
以上説明したように本発明によれば、媒体の鑑別が一巡したかどうかを判定することが可能な媒体処理装置を提供することができる。
【図面の簡単な説明】
【００１７】
【図１】紙幣入出金機１０の基本構成を示すブロック図である。
【図２】本発明の実施形態に係る紙幣入出金機１０の詳細構成を説明するための説明図である。
【図３】同実施形態に係る入金処理における判定方法のフローチャートである。
【図４】同実施形態に係る入金処理を説明するための説明図（その１）である。
【図５】同実施形態に係る入金処理を説明するための説明図（その２）である。
【図６】同実施形態に係る入金処理を説明するための説明図（その３）である。
【図７】同実施形態に係る入金処理を説明するための説明図（その４）である。
【図８】同実施形態に係る入金処理を説明するための説明図（その５）である。
【図９】同実施形態に係る入金処理を説明するための説明図（その６）である。
【図１０】同実施形態に係る入金処理を説明するための説明図（その７）である。
【図１１】比較例に係る紙幣入出金機２０の詳細構成を説明するための説明図である。
【図１２】比較例に係る入金処理を説明するための説明図（その１）である。
【図１３】比較例に係る入金処理を説明するための説明図（その２）である。
【図１４】比較例に係る入金処理を説明するための説明図（その３）である。
【発明を実施するための形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
また、本明細書および図面において、実質的に同一または類似の機能構成を有する複数の構成要素を、同一の符号の後に異なる数字を付して区別する場合がある。ただし、実質的に同一または類似の機能構成を有する複数の構成要素の各々を特に区別する必要がない場合、同一符号のみを付する。また、異なる実施形態の類似する構成要素については、同一の符号の後に異なるアルファベットを付して区別する場合がある。ただし、類似する構成要素の各々を特に区別する必要がない場合、同一符号のみを付する。
【００２０】
以下に説明する本発明の実施形態は、金融機関等で使用されるＡＴＭや、金融機関の営業店、店舗のバックヤード等に設置されている現金処理装置等に設けられた、紙幣の入出金処理を行う紙幣入出金機に適用した場合を例に説明する。しかしながら、本発明の実施形態が、上述のような紙幣入出金機に適用されることに限定されるものではなく、金券、チケット、伝票等の媒体を処理する自動券売機等の媒体処理装置に適用されてもよく、特に限定されるものではない。
【００２１】
＜＜紙幣入出金機１０の基本構成＞＞
まずは、図１を参照して、紙幣入出金機（媒体処理装置）１０の基本的な構成について説明する。図１は、紙幣入出金機１０の基本構成を示すブロック図である。紙幣入出金機１０は、ＡＴＭ等に設けられ、紙幣の入金処理、出金処理等を行うものである。なお、紙幣入出金機１０は、紙幣の入金処理のみを行う装置であってもよく、紙幣の出金処理のみを行う装置であってもよい。ここで、入金処理とは、顧客等により投入された紙幣を鑑別し、計数して紙幣入出金機１０内の収納部に収納する処理である。また、出金処理とは、紙幣入出金機１０の収納部に収納されている紙幣を計数等し、顧客等に払い出す処理である。
【００２２】
図１に示すように、紙幣入出金機１０は、制御部１００と、搬送部１１０と、接客部（第１の収納部）１２０と、鑑別部１３０と、記憶部１４０と、一時収納部（第２の収納部）１５０と、カセット１６０と、第１の収納庫１７０と、第２の収納庫１８０と、シャッタ１９０とを主に有する。当該紙幣入出金機１０においては、基本的には、１枚又は複数枚の紙幣は、接客部１２０に投入され、１枚ずつ分離されて鑑別部１３０へ搬送され、鑑別部１３０により鑑別が行われる。そして、鑑別された紙幣は、主に一時収納部１５０へ搬送される。さらに、接客部１２０に投入された全ての紙幣に対して鑑別が行われると、これら紙幣は、金種ごとにカセット１６０に収納される。なお、鑑別部１３０による鑑別結果によっては、紙幣は、接客部１２０に戻されたり、第１及び第２の収納庫１７０、１８０に収納されたりする。以下に、当該紙幣入出金機１０の各部の詳細について説明する。
【００２３】
（制御部１００）
制御部１００は、演算処理装置であるＣＰＵ（Ｃｅｎｔｒａｌ  Ｐｒｏｃｅｓｓｉｎｇ  Ｕｎｉｔ）、ＣＰＵが使用するプログラムや演算パラメータ等を記憶するＲＯＭ（Ｒｅａｄ  Ｏｎｌｙ  Ｍｅｍｏｒｙ）、ＣＰＵの実行において使用するプログラムや、その実行において適宜変化するパラメータ等を一時記憶するＲＡＭ（Ｒａｎｄｏｍ  Ａｃｃｅｓｓ  Ｍｅｍｏｒｙ）等で構成される。このような制御部１００により、紙幣入出金機１０の動作全般が制御される。例えば、制御部１００は、後述する記憶部１４０に格納された情報に基づいて、紙幣入出金機１０内に設けられた搬送部１１０、アクチュエータ（図示省略）、各種センサ（図示省略）等を制御する。なお、図１に示すように、制御部１００は、接客部１２０に収納された複数の紙幣が全て鑑別部１３０によって鑑別されたか否か、すなわち、接客部１２０に収納された複数の紙幣の鑑別が一巡したかを判定する判定部１０２を含む。
【００２４】
（搬送部１１０）
搬送部１１０は、紙幣を受け止める搬送路（図示省略）、搬送路を回転させる搬送ローラ（図示省略）、紙幣等を案内する切替部（図示省略）及び搬送ローラを駆動する駆動機構（図示省略）（例えば、直流サーボモータ、パルスモータ等）を含み、紙幣を紙幣入出金機１０内の各所へ搬送する。例えば、上記搬送ローラは搬送路を挟んで対向するように配置され、上述の制御部１００により制御され搬送ローラが回転することにより、搬送路が所定の方向に移動し、紙幣を搬送することができる。さらに、搬送路に接して設けられたブレードにより、紙幣の搬送方向を切り替えることができる。なお、搬送部１１０は、後述するように、分岐して設けられていてもよい。
【００２５】
（接客部１２０）
接客部１２０は、顧客等から投入された複数の紙幣を収納し、また、顧客等へ返却等する紙幣を収納する。詳細には、接客部１２０は、収納した複数の紙幣を１枚ずつ分離して搬送部１１０に供給することができ、このようにすることで、紙幣入出金機１０の内部へ１枚ずつ紙幣が取り込まれることとなる。
【００２６】
（鑑別部１３０）
鑑別部１３０は、鑑別部１３０内を１枚ずつ通過していく紙幣の鑑別を行うことができる。詳細には、鑑別部１３０には、その内部にＯＣＲ（Ｏｐｔｉｃａｌ  Ｃｈａｒｃｔｅｒ  Ｒｅｃｏｇｎｉｔｉｏｎ）といったイメージセンサや磁気センサといった真偽センサ等の複数種類のセンサ（図示省略）が組み込まれており、搬送された紙幣の金種（例えば、一万円券、五千円券、二千円券、千円券）、真偽（真券／偽券）、正券であるか損券であるかといった紙幣の正損状態、重送等の搬送状態、紙幣の表裏などを鑑別する。そして、鑑別部１３０は、鑑別部１３０を通過する紙幣に対して、上記鑑別の結果に基づき、正常判定又は異常判定を行う。
【００２７】
具体的には、真券とは、鑑別部１３０によって紙幣と鑑別された媒体をいい、偽券とは紙幣と鑑別されなかった媒体をいう。また、正券とは、真券と鑑別された紙幣のうち、汚れ等が少なく、入金／出金処理での使用に適すると鑑別された紙幣をいい、損券とは、真券と鑑別された紙幣のうち、汚れ等が多く、入金／出金処理に適さない紙幣や、海外紙幣等であることにより入金／出金処理に使用できない紙幣と鑑別されたものをいう。そして、鑑別部１３０は、偽券、損券等といった要因に基づいて、鑑別した媒体に対して、金種不明もしくは受付不能な異常紙幣（異常媒体）であるとして異常判定を行う。一方、鑑別部１３０は、その他の媒体に対しては、正常紙幣（正常媒体）であるとして正常判定を行う。
【００２８】
さらに、このような鑑別部１３０の正常判定又は異常判定（鑑別結果）に基づいて、紙幣の集積先が決定されることとなる。なお、以下の説明においては、紙幣入出金機１０は、鑑別部１３０による鑑別結果に基づいて、該当する紙幣の集積先を決定するものとして説明を行うが、本実施形態においては、これに限定されるものではなく、処理をおこなう媒体（金券、チケット、伝票等）に係る情報（媒体の状態、媒体に記された情報等）に応じて該当する媒体の集積先を決定してもよい。
【００２９】
また、鑑別部１３０は、上記の鑑別を行うとともに、金種が確定した紙幣の計数を行うこともできる。さらに、鑑別部１３０は、各紙幣に印字された各紙幣を識別するための識別情報を読取ることもできる。
【００３０】
なお、上記識別情報は、紙幣毎に印字された記番号であり、例えば紙幣毎に付与されてその紙幣に予め印刷されている英数字等で構成された文字列である。鑑別部１３０で読取られた記番号（識別情報）は、各紙幣を識別するための情報として、鑑別部１３０による鑑別結果とともに、後述する記憶部１４０に格納される。
【００３１】
（記憶部１４０）
記憶部１４０は、ＨＤＤ（Ｈａｒｄ  Ｄｉｓｃ  Ｄｒｉｖｅ）装置等のデータ格納用記憶装置等から実現され、鑑別部１３０で得られた結果を格納する。例えば、記憶部１４０は、鑑別部１３０で読取られた識別情報（記番号）を格納する記番号記憶領域２００を含んでいてもよい。なお、当該記憶部１４０は、紙幣入出金機１０全体を制御するための各種制御プログラム（ソフトウェア）を格納してもよい。
【００３２】
（一時収納部１５０）
一時収納部１５０は、顧客により接客部１２０に投入された紙幣を一時的に収納するものである。一時収納部１５０は、顧客の操作により入金処理（入金取引）が成立するまで、すなわち入金金額が確認されるまで、一時的に紙幣（詳細には、鑑別部１３０により異常紙幣と判定されなかった紙幣）を収納する。一方、顧客の操作により入金処理が取り消された場合には、一時収納部１５０に収納した紙幣は、接客部１２０に返却されることとなる。
【００３３】
（カセット１６０）
カセット１６０は、顧客との取引で使用することが可能な紙幣を収納する。例えば、カセット１６０の内部には昇降機構によって上下に動くことができるステージ（図示省略）が設けられ、カセット１６０に収納される紙幣は、当該ステージ上に集積される。また、カセット１６０には供給機構（図示省略）が設けられ、供給機構によってカセット１６０内の紙幣を１枚ずつ搬送部１１０に供給することができる。なお、当該カセット１６０は、それぞれ同一構造を持つ、複数のカセット部（図示省略）を含んでいてもよい。この場合、各カセット部は、各金種の紙幣を個別に収納することとなる。
【００３４】
（第１の収納庫１７０）
第１の収納庫１７０は、入金取引時に、接客部１２０に投入された紙幣のうち、顧客との取引に使用しない金種の紙幣、例えば二千円札等を収納する収納部であり、搬送部１１０により搬送されてきた紙幣を集積することができる。
【００３５】
（第２の収納庫１８０）
第２の収納庫１８０は、出金取引時に、鑑別部１３０において顧客への出金には適さないと判定された紙幣を収納する出金リジェクト庫である。また、当該紙幣入出金機１０は、第３の収納庫（図示省略）を有していてもよく、当該第３の収納庫は、例えば、入金処理時又は出金処理時に鑑別により偽券であると判定した紙幣を収納する偽券庫である。
【００３６】
（シャッタ１９０）
シャッタ１９０は、接客部１２０の顧客等と向かい合う側に設けられ、開閉することにより、顧客等が紙幣を投入する時や紙幣を取り出す時等に接客部１２０を解放し、紙幣を紙幣入出金機１０内に取り込む際には接客部１２０を閉鎖する。
【００３７】
＜＜本発明の実施形態をなすに至った経緯＞＞
次に、本発明の実施形態の説明に先立ち、本発明者が本発明の実施形態をなすに至った経緯について説明する。
【００３８】
まずは、本発明者がこれまで検討を行っていた紙幣入出金機である、比較例に係る紙幣入出金機２０を、図１１を参照して説明する。図１１は、比較例に係る紙幣入出金機２０の詳細構成を説明するための説明図であって、詳細には、紙幣入出金機２０における、接客部１２０、鑑別部１３０、一時収納部１５０及び搬送部１１２の位置関係を模式的に示している。なお、当該紙幣入出金機２０は、先に説明した図１の紙幣入出金機１０と同様の基本構成を持っている。
【００３９】
図１１に示すように、比較例に係る紙幣入出金機２０においては、接客部１２０に、接客部１２０から紙幣入出金機２０内の鑑別部１３０へ紙幣を供給する供給口１２２と、紙幣入出金機２０内から紙幣を接客部１２０に返却する返却口１２４とが設けられている。
【００４０】
また、図１１に示すように、当該紙幣入出金機２０においては、搬送部１１２は、接客部１２０の供給口１２２から、鑑別部１３０を通過し、接客部１２０の返却口１２４にまで一巡するように延伸している。さらに、鑑別部１３０と接客部１２０の返却口１２４との間の搬送部１１２には、一時収納部１５０へ延伸する搬送部、詳細には、分岐部１１２ｃが設けられている。搬送部１１２と分岐部１１２ｃとが分岐する分岐点にはブレード３０６が設けられており、当該ブレード３０６を制御することにより、紙幣の搬送方向を一時収納部１５０へ向かう方向にしたり、接客部１２０の返却口１２４へ向かう方向にしたりすることができる。なお、搬送部１１２と分岐部１１２ｃとは、連続して設けられており、同一の向き（図中の時計周りの向き）に沿って紙幣を搬送するように駆動される。
【００４１】
次に、比較例に係る紙幣入出金機２０における入金処理の概略を説明する。顧客等により接客部１２０に投入された紙幣は、１枚ずつ分離されて供給口１２２を介して搬送部１１２に供給され、当該搬送部１１２により鑑別部１３０へ搬送される。そして、鑑別部１３０によって鑑別された紙幣は、鑑別結果に応じた集積先に搬送されることとなる。詳細には、鑑別部１３０により正常紙幣と判定された紙幣は、一時収納部１５０へ搬送され、異常紙幣と判定された紙幣は、返却口１２４を介して接客部１２０へ返却される。さらに、顧客等により接客部１２０に投入された複数の紙幣の全てに対して鑑別部１３０により鑑別が行われ、且つ、顧客等の操作により入金処理（入金取引）が成立した場合には、一時収納部１５０へ収納された紙幣はカセット１６０へ収納され、接客部１２０に返却された紙幣は顧客等によって回収されることとなる。
【００４２】
なお、比較例に係る紙幣入出金機２０は、異常紙幣と判定された紙幣を鑑別部１３０から直接接客部１２０に返却される構成を持っていることから、複数の異常紙幣は、これら異常紙幣が接客部１２０の供給口１２２から鑑別部１３０へ供給された際の順番と同じ順番で接客部１２０の返却口１２４へ返却されることとなる。
【００４３】
次に、比較例に係る紙幣入出金機２０における入金処理の詳細について、図１２から図１４を参照して説明する。図１２から図１４は、比較例に係る入金処理を説明するための説明図である。詳細には、図１２から図１４の上段の図は、紙幣入出金機２０での入金処理の各段階における紙幣の動きを模式的に示しており、これら図の下段の表は、入金処理の各段階において記憶部１４０の記番号記憶領域２００に格納されるテーブルの状態を示している。
【００４４】
記番号記憶領域２００においては、接客部１２０に収納された紙幣の全てが鑑別部１３０によって鑑別された、すなわち、収納された紙幣の鑑別が一巡したことを判定するために用いる情報が、２つのテーブル、入金紙幣記番号テーブル２３０、異常紙幣記番号テーブル２４０として格納されている。
【００４５】
詳細には、入金紙幣記番号テーブル２３０は、鑑別部１３０で読取った紙幣の記番号（識別情報）を、鑑別部１３０が読取った順番、すなわち、接客部１２０の供給口１２２から鑑別部１３０へ供給された際の順番で格納する。異常紙幣記番号テーブル２４０は、鑑別部１３０で異常紙幣と判定されて接客部１２０へ返却された紙幣の識別情報（記番号）を、接客部１２０に返却された際の順番で格納する。なお、比較例に係る紙幣入出金機２０においては、異常紙幣が接客部１２０の返却口１２４に返却される際の順番は、これら異常紙幣が接客部１２０の供給口１２２から鑑別部１３０へ供給された際の順番と同じである。
【００４６】
まずは、図１２の上段に示すように、比較例に係る紙幣入出金機２０の接客部１２０に、６枚の紙幣（紙幣１、紙幣２、紙幣３、紙幣４、紙幣５、紙幣６）が顧客等により投入されたものとする。この段階では、図１２の下段に示すように、入金紙幣記番号テーブル２３０及び異常紙幣記番号テーブル２４０には、鑑別部１３０による鑑別及び記番号の読取が行われていないことから、記番号は格納されていない。なお、入金紙幣記番号テーブル２３０及び異常紙幣記番号テーブル２４０においては、それぞれ、上の行には、情報が格納された順番を示す見出し番号（ＩＮＤＥＸ）が付されており、下の行には、記番号が格納される。
【００４７】
続いて、紙幣入出金機２０は、接客部１２０に投入された紙幣を１枚ずつ分離し、鑑別部１３０へ搬送する。そして、紙幣入出金機２０は、鑑別部１３０における鑑別結果に基づいて、正常紙幣と判断された紙幣を一時収納部１５０へ搬送し、異常紙幣と判断された紙幣を接客部１２０へ搬送する。
【００４８】
詳細には、紙幣入出金機２０は、紙幣１から紙幣５までを鑑別部１３０へ順次搬送する。そして、紙幣入出金機２０は、鑑別部１３０により異常紙幣と判定された紙幣１、紙幣２、紙幣４を接客部１２０へ搬送し、正常紙幣と判定された紙幣３、紙幣５を一時収納部１５０へ搬送し、図１３の上段に示すような状態となる（１回目の入金段階）。
【００４９】
図１３の下段に示すように、上述のような１回目の入金段階において、入金紙幣記番号テーブル２３０は、鑑別部１３０で読み取った紙幣の記番号を読取った順番に格納する。詳細には、入金紙幣記番号テーブル２３０は、紙幣１、紙幣２、紙幣３、紙幣４、紙幣５の順番で、これら紙幣の記番号を格納する。また、異常紙幣記番号テーブル２４０は、鑑別部１３０で異常紙幣と判定されて接客部１２０へ返却された（戻された）紙幣の記番号を、接客部１２０に返却された順番に格納する。詳細には、異常紙幣記番号テーブル２４０は、紙幣１、紙幣２、紙幣４の順番で、これら紙幣の記番号を格納する。なお、図１３、及び以下の説明で参照される図４から図１０及び図１４においては、入金紙幣記番号テーブル２３０及び異常紙幣記番号テーブル２４０に格納される記番号として、具体的な記番号の代わりに、紙幣の名称（例えば「紙幣１」）が示されている。
【００５０】
続いて、紙幣入出金機２０は、接客部１２０からの紙幣の搬送を続ける。詳細には、紙幣入出金機２０は、接客部１２０に収納されていた紙幣６、紙幣１、紙幣２、紙幣４を鑑別部１３０へ順次搬送する。そして、紙幣入出金機２０は、異常紙幣と判定された紙幣２、紙幣４を接客部１２０へ搬送し、正常紙幣と判定された紙幣６、紙幣１を一時収納部１５０へ搬送し、図１４の上段に示すような状態となる（２回目の入金段階）。
【００５１】
そして、図１４の下段に示すように、上述のような２回目の入金段階において、入金紙幣記番号テーブル２３０は、鑑別部１３０で読取った紙幣の記番号を読取った順番で新たに格納される。この際、入金紙幣記番号テーブル２３０においては、上述した１回目の入金段階で格納された記番号が消去され、２回目の入金段階で鑑別部１３０により読取った紙幣の記番号が格納される。詳細には、入金紙幣記番号テーブル２３０は、紙幣６、紙幣１、紙幣２、紙幣４の順番で、これら紙幣の記番号を格納する。
【００５２】
ここで、制御部１００の判定部１０２は、接客部１２０に収納された紙幣の全てが鑑別部１３０によって鑑別された、すなわち、収納された紙幣の鑑別が一巡したか否かの判定を行う。詳細には、判定部１０２は、２回目の入金段階で入金紙幣記番号テーブル２３０に格納された記番号（図１４の下段参照）と、１回目の入金段階で異常紙幣記番号テーブル２４０に格納された記番号（図１３の下段参照）とを比較し、記番号が一致する紙幣を探索する。具体的には、図１３の下段及び図１４の下段の例においては、２回目の入金段階での入金紙幣記番号テーブル２３０のＩＮＤＥＸ１にあたる紙幣の記番号（紙幣１）と、１回目の入金段階での異常紙幣記番号テーブル２４０のＩＮＤＥＸ０にあたる紙幣の記番号（紙幣１）とが一致している。なお、以下の説明においては、入金紙幣記番号テーブル２３０に格納された記番号と異常紙幣記番号テーブル２４０に格納された記番号とが一致した紙幣（上記例においては紙幣１が該当する）を、同一記番号検知紙幣と呼ぶ。
【００５３】
続いて、判定部１０２は、２回目の入金段階での入金紙幣記番号テーブル２３０（図１４の下段参照）と１回目の入金段階での異常紙幣記番号テーブル２４０（図１３の下段参照）との間において、同一記番号検知紙幣の後にそれぞれのテーブルに格納された記番号を持つ紙幣であって、記番号どうしが一致する紙幣を探索する。具体的には、図１３の下段及び図１４の下段の例では、２回目の入金段階での入金紙幣記番号テーブル２３０のＩＮＤＥＸ２にあたる紙幣の記番号（紙幣２）と、１回目の入金段階での異常紙幣記番号テーブル２４０のＩＮＤＥＸ１にあたる紙幣の記番号（紙幣２）とが一致している。なお、以下の説明においては、上記同一記番号検知紙幣の後に、上記各テーブルに記番号が格納された紙幣を後続紙幣と呼ぶ。一方、同一記番号検知紙幣の前に上記各テーブルに記番号が格納された紙幣を先行紙幣と呼ぶ。
【００５４】
そして、判定部１０２は、２回目の入金段階での入金紙幣記番号テーブル２３０（図１４の下段参照）と１回目の入金段階での異常紙幣記番号テーブル２４０（図１３の下段参照）との間において、記番号の一致する紙幣が２枚以上あり（上記例においては、紙幣１、紙幣２）、且つ、記番号の一致する紙幣の順番の関係が両テーブルにおいて一致する場合（上記例においては、紙幣１と紙幣２との順番が、異常紙幣記番号テーブル２４０及び入金紙幣記番号テーブル２３０において同じである）に、紙幣の鑑別が一巡したと判定する。
【００５５】
すなわち、比較例に係る紙幣入出金機２０においては、判定部１０２は、同一記番号検知紙幣の有無を探索し、さらに後続紙幣において記番号が一致するか否かを判定することにより、紙幣の鑑別が一巡したか否かを判定していた。
【００５６】
なお、この段階で、判定部１０２が紙幣の鑑別が一巡したと判定しなかった場合には、図１４の下段の領域４２０に示すように、異常紙幣記番号テーブル２４０は、２回目の入金段階で接客部１２０に返却された紙幣（紙幣２、紙幣４）の記番号を追加的に格納する。この際、異常紙幣記番号テーブル２４０においては、上述した１回目の入金段階で格納された記番号は消去されず、当該テーブルにおいて記番号が格納されていない欄（領域４２０）に、２回目の入金段階で接客部１２０に返却された紙幣の記番号が格納されることとなる。
【００５７】
そして、紙幣入出金機２０は、判定部１０２によって紙幣の鑑別が一巡したと判定されるまで、上述のような入金段階を繰り返し実施することとなる。
【００５８】
しかしながら、紙幣入出金機の装置の内部構成を変えた場合には、上述の判定方法では、紙幣の鑑別が一巡したことを判定することができない。詳細には、比較例に係る紙幣入出金機２０は、異常紙幣と判定された紙幣を鑑別部１３０から直接接客部１２０に返却する構成を持っていることから、複数の異常紙幣は、これら異常紙幣が接客部１２０の供給口１２２から鑑別部１３０へ供給された際の順番と同じ順番で接客部１２０の返却口１２４へ返却される。さらに、当該紙幣入出金機２０においては、入金紙幣記番号テーブル２３０は、鑑別部１３０で読取った紙幣の記番号を、鑑別部１３０が読取った順番、すなわち、接客部１２０の供給口１２２から鑑別部１３０へ供給された際の順番で格納する。また、異常紙幣記番号テーブル２４０は、鑑別部１３０で異常紙幣と判定されて接客部１２０へ返却された紙幣の記番号を、接客部１２０に返却された際の順番で格納するが、当該順番は接客部１２０の供給口１２２から鑑別部１３０へ供給された際の順番と同じであるため、異常紙幣の記番号を、接客部１２０の供給口１２２から鑑別部１３０へ供給された際の順番で格納する。
【００５９】
それに対して、紙幣入出金機の装置の内部構成を変えた場合には、それに起因して、異常紙幣は、これら異常紙幣が接客部１２０の供給口１２２から鑑別部１３０へ供給された際の順番と逆の順番で接客部１２０の返却口１２４へ返却されるようになる。このような場合、異常紙幣が返却される順番が逆になったことから、比較例の判定方法、すなわち、同一記番号検知紙幣を探索し、さらに後続紙幣において記番号が一致するか否かを判定するような方法では、紙幣の鑑別が一巡したか否かを判定することができなくなる。
【００６０】
そこで、本発明者は、このような状況を鑑みて、本発明の実施形態を創作するに至った。本発明の実施形態によれば、異常紙幣が接客部１２０の供給口１２２から鑑別部１３０へ供給された際の順番（第１の順番）とは逆の順番（第２の順番）で接客部１２０の返却口１２４へ返却されることとなっても、接客部１２０に収納された紙幣（媒体）の鑑別が一巡したか否かを判定することができる紙幣入出金機（媒体処理装置）１０を提供することができる。以下に、このような本発明の実施形態の詳細を順次説明する。
【００６１】
＜＜本発明の実施形態＞＞
＜本発明の実施形態に係る紙幣入出金機１０の詳細構成＞
まずは、本発明の実施形態に係る紙幣入出金機１０の詳細構成について説明する。当該紙幣入出金機１０は、先に図１を参照して説明した紙幣入出金機１０と同様の基本構成を持っている。従って、ここでは本実施形態に係る紙幣入出金機１０の基本構成についての説明を省略し、図２を参照して、紙幣入出金機１０の詳細構成を説明する。図２は、本発明の実施形態に係る紙幣入出金機１０の詳細構成を説明するための説明図であり、詳細には、紙幣入出金機１０における、接客部１２０、鑑別部１３０、一時収納部１５０及び搬送部１１０の位置関係を模式的に示している。
【００６２】
図２に示すように、本実施形態に係る紙幣入出金機１０においては、上述の比較例と同様に、接客部１２０に、接客部１２０から紙幣入出金機１０内の鑑別部１３０へ紙幣を供給する供給口１２２と、紙幣入出金機１０内から紙幣を接客部１２０に返却する返却口１２４とが設けられている。
【００６３】
また、図２に示すように、本実施形態に係る紙幣入出金機１０は、比較例に係る搬送部１１２とは異なる形態の搬送部１１０を有している。詳細には、当該紙幣入出金機１０においては、搬送部（第１の搬送部）１１０は、接客部１２０の供給口１２２から延び、鑑別部１３０を通過して一時収納部１５０へ延伸している。さらに、鑑別部１３０と一時収納部１５０との間には、一時収納部１５０とは違う方向に向かうように搬送部１１０の一部が分岐して延伸している。以下の説明においては、この搬送部１１０が分岐した部分を貯留部１１０ｄと呼ぶ。当該貯留部１１０ｄは、搬送部１１０から分岐して延びる搬送部であり、従って、貯留部１１０ｄは、搬送部として紙幣を搬送することができる。さらに、貯留部１１０ｄは、紙幣の搬送を一時的に停止することにより、当該紙幣を一時的に貯留する貯留部として機能することができる。さらに、本実施形態に係る紙幣入出金機１０においては、一時収納部１５０へ向かう搬送部１１０と貯留部１１０ｄとが分岐する分岐点には、ブレード３０２が設けられており、当該ブレード３０２の方向を制御することにより、紙幣の搬送方向を一時収納部１５０へ向かう方向にしたり、貯留部１１０ｄへ向かう方向にしたりすることができる。
【００６４】
さらに、図２に示すように、本実施形態に係る紙幣入出金機１０においては、接客部１２０と鑑別部１３０との間には、搬送部１１０が分岐して延びる分岐部１１０ｂ（第２の搬送部）が設けられており、当該分岐部１１０ｂは、鑑別部１３０を通過する紙幣（例えば、異常紙幣）を接客部１２０の返却口１２４へ搬送する。詳細には、搬送部１１０と分岐部１１０ｂとが分岐する分岐点には、ブレード３０４が設けられており、当該ブレード３０４の方向を制御することにより、紙幣の搬送方向を鑑別部１３０へ向かう方向にしたり、接客部１２０へ向かう方向にしたりすることができる。
【００６５】
なお、紙幣が鑑別部１３０を通過して接客部１２０の返却口１２４へ返却される際には、当該紙幣は、搬送部１１０の一部を通過し、さらに分岐部１１０ｂを通過して返却口１２４へ返却される。すなわち、紙幣が接客部１２０から紙幣入出金機１０内へ供給される際の経路と、紙幣が紙幣入出金機１０内から接客部１２０へ返却される際の経路とは、その一部が共通していることとなる。また、紙幣が接客部１２０から紙幣入出金機１０内へ供給される際には、搬送部１１０及び貯留部１１０ｄは、図２中、上から下方向、及び、右から左方向へ向かう方向に紙幣を搬送する。一方、紙幣が紙幣入出金機１０内から接客部１２０へ返却される際には、搬送部１１０、分岐部１１０ｂ、貯留部１１０ｄは、図２中、下から上方向、及び、左から右方向へ向かう方向に紙幣を搬送する。従って、本実施形態に係る紙幣入出金機１０においては、搬送部１１０等の搬送方向を切り替えることにより、紙幣の供給と返却とを切り替えることができる。
【００６６】
また、上述の説明においては、貯留部１１０ｄは、搬送部１１０から分岐した搬送部により形成されるとして説明したが、本実施形態においてはこれに限定されるものではなく、例えば一時収納部１５０と同様な構成を持つ紙幣の収納庫であってもよい。この場合、例えば、貯留部１１０ｄである収納庫においては、搬送された紙幣の受け入れ口と、受け入れた紙幣の排出口とが共通するような構造になっており、当該収納庫は、受け入れた紙幣の順番とは逆の順番で、収納した紙幣を排出することとなる。
【００６７】
次に、本実施形態に係る紙幣入出金機１０における入金処理の概略を説明する。本実施形態においては、顧客等により接客部１２０に投入された紙幣は、１枚ずつ分離されて供給口１２２を介して搬送部１１０に供給され、当該搬送部１１０により鑑別部１３０へ搬送される。そして、鑑別部１３０によって鑑別された紙幣は、鑑別結果に応じた集積先に搬送されることとなる。
【００６８】
詳細には、以下に説明する本実施形態においては、鑑別部１３０により正常紙幣と判定された紙幣は、一時収納部１５０へ搬送され、異常紙幣と判定された紙幣は、一度貯留部１１０ｄに一時的に集積された後、鑑別部１３０を通過して接客部１２０の返却口１２４へ返却されるものとする。しかしながら、本実施形態においては、上述のように紙幣が搬送されることに限定されるものではない。例えば、本実施形態においては、鑑別部１３０により異常紙幣と判定された紙幣は、一時収納部１５０等（他の収納部であってもよい）へ搬送され、正常紙幣と判定された紙幣は、一度貯留部１１０ｄに一時的に集積された後、鑑別部１３０を通過して接客部１２０の返却口１２４へ返却されてもよい。
【００６９】
さらに、顧客等により接客部１２０に投入された複数の紙幣の全てに対して鑑別部１３０による鑑別が行われ、且つ、顧客等の操作により入金処理（入金取引）が成立した場合には、一時収納部１５０へ収納された紙幣はカセット１６０へ収納され、接客部１２０に返却された紙幣は顧客等によって回収されることとなる。
【００７０】
なお、本実施形態に係る紙幣入出金機１０は、異常紙幣と判定された紙幣を、貯留部１１０ｄに一度集積した後に、鑑別部１３０を通過させて接客部１２０に返却される構成を持っていることから、複数の異常紙幣は、これら異常紙幣が接客部１２０の供給口１２２から鑑別部１３０へ供給された際の順番（第１の順番）とは逆の順番（第２の順番）で接客部１２０の返却口１２４へ返却されることとなる。なお、本実施形態に係る入金処理の詳細については後述する。
【００７１】
また、本実施形態においては、上述したように搬送部の一部として貯留部１１０ｄを設けることにより、一時収納部１５０と同様の構成を持つ収納庫を設けた場合や、比較例のように、接客部１２０から鑑別部１３０を通過して当該接客部１２０まで一巡するように搬送部１１２を設ける場合に比べて、紙幣入出金機１０の製造コストや容積の増加を抑えることができる。さらに、本実施形態においては、貯留部１１０ｄに集積可能な紙幣の量に達するまで、搬送部１１０等を、搬送の停止や返却方向（図２中の、下から上方向、及び、左から右方向へ向かう方向）への紙幣の搬送を行うことなく、供給方向（図２中の、上から下方向、及び、右から左方向へ向かう方向）への紙幣の搬送を継続することができることから、紙幣の入金処理の処理時間を短縮化することもできる。
【００７２】
なお、以下の説明においては、貯留部１１０ｄは、３枚までの紙幣を集積することができるものとして説明するが、本実施形態においては、これに限定されるものではなく、貯留部１１０ｄに集積可能な紙幣の量は、製造コストや容積等を勘案して適宜調整することができる。
【００７３】
また、本実施形態においては、紙幣入出金機１０は、図２に示されるような詳細構成であることに限定されるものではなく、鑑別部１３０により異常紙幣と判定された異常紙幣が、接客部１２０の供給口１２２から鑑別部１３０へ供給された際の順番とは逆の順番で接客部１２０の返却口１２４へ返却されるような構成であれば、特に限定されるものではない。
【００７４】
さらに、本実施形態においても、記憶部１４０の記番号記憶領域２００には、接客部１２０に収納された紙幣の全てが鑑別部１３０により鑑別された、すなわち、紙幣の鑑別が一巡したことを判定するために用いる情報が、入金紙幣記番号テーブル（第１の記憶部）２１０、及び、異常紙幣記番号テーブル２２０（第２の記憶部）として格納される（図４から図１０参照）。
【００７５】
詳細には、本実施形態に係る入金紙幣記番号テーブル２１０は、比較例と同様に、鑑別部１３０で読取った紙幣の記番号（識別情報）を、鑑別部１３０が読取った順番、すなわち、接客部１２０の供給口１２２から鑑別部１３０へ供給された際の順番で格納する。一方、本実施形態に係る異常紙幣記番号テーブル２２０は、鑑別部１３０で異常紙幣と判定されて接客部１２０へ返却された紙幣の識別情報（記番号）を、接客部１２０に返却された際の順番で格納する。なお、本実施形態においては、異常紙幣が接客部１２０の返却口１２４に返却される際の順番は、これら異常紙幣が接客部１２０の供給口１２２から鑑別部１３０へ供給された際の順番とは逆となる。従って、本実施形態に係る異常紙幣記番号テーブル２２０は、異常紙幣の記番号を、これら異常紙幣が接客部１２０の供給口１２２から鑑別部１３０へ供給された際の順番とは逆の順番で格納する。なお、入金紙幣記番号テーブル２１０、及び、異常紙幣記番号テーブル２２０の詳細については後述する。
【００７６】
また、紙幣入出金機１０において入金段階が実施されるごとに、入金紙幣記番号テーブル２１０は、鑑別部１３０によって読取られた一連の紙幣の記番号を新たに格納する。従って、次に実施された新たな入金段階においては、入金紙幣記番号テーブル２１０は、先の入金段階で格納した記番号を全て消去し、新たな入金段階で鑑別部１３０によって読取られた一連の紙幣の記番号を新たに格納する。一方、本実施形態においては、紙幣入出金機１０において返却段階が実施されるごとに、異常紙幣記番号テーブル２２０は、返却された一連の紙幣の記番号を格納する。詳細には、異常紙幣記番号テーブル２２０は、先に格納された記番号を消去することなく、新たな返却段階で返却された紙幣の記番号を追加するように格納する。なお、入金段階及び返却段階の詳細については後述する。
【００７７】
＜＜本発明の実施形態に係る判定方法＞＞
以上、本実施形態に係る紙幣入出金機１０の詳細構成について説明した。次に、本発明の実施形態に係る判定方法について、図３を参照して説明する。図３は、本実施形態に係る入金処理における判定方法のフローチャートである。以下に説明する本実施形態に係る判定方法は、上述した制御部１００の判定部１０２によって行われる。すなわち、当該判定方法は、判定部１０２により、接客部１２０に収納された複数の紙幣が全て鑑別部１３０によって鑑別されたか否か、言い換えると、接客部１２０に収納された複数の紙幣の鑑別が一巡したか否かを判定するための方法である。
【００７８】
本実施形態に係る判定方法の主な流れを説明すると、判定部１０２は、入金紙幣記番号テーブル２１０に格納された記番号（第１の識別情報）と、異常紙幣記番号テーブル２２０に格納された記番号（第２の識別情報）とが一致する同一記番号検知紙幣を探索する。さらに、判定部１０２は、記番号が一致する同一記番号検知紙幣が存在する場合には、当該同一記番号検知紙幣の後続紙幣において、入金紙幣記番号テーブル２１０に格納された記番号と、異常紙幣記番号テーブル２２０に格納された記番号とが一致する紙幣を探索し、もしくは、当該同一記番号検知紙幣の先行紙幣において、入金紙幣記番号テーブル２１０に格納された記番号と、異常紙幣記番号テーブル２２０に格納された記番号とが一致する紙幣を探索する。そして、後続紙幣又は先行紙幣において、記番号が一致する紙幣が存在した場合には、判定部１０２は、紙幣の鑑別が一巡したと判定する。
【００７９】
詳細には、本実施形態に係る判定方法は、図３に示すように、ステップＳ１０１からステップＳ１２１までの複数のステップが含まれている。以下に、本実施形態に係る判定方法の各ステップの詳細を説明する。
【００８０】
なお、以下に説明する例においては、顧客により接客部１２０に投入された紙幣の中に異常紙幣が含まれているものとする。
【００８１】
（ステップＳ１０１）
判定部１０２は、入金紙幣記番号テーブル２１０及び異常紙幣記番号テーブル２２０において探索の対象となる紙幣の見出し番号（ＩＮＤＥＸ）を０に設定する。従って、判定部１０２は、記番号が一致する紙幣の探索にあたり、見出し番号が０である紙幣から順に記番号が一致するかを判定することとなる。
【００８２】
（ステップＳ１０３）
判定部１０２は、鑑別部１３０の鑑別結果や貯留部１１０ｄに設けられたセンサ（図示省略）のセンシング結果等に基づいて、貯留部１１０ｄに紙幣が搬送されたか否かを確認する。判定部１０２は、貯留部１１０ｄに紙幣が搬送されていれば、ステップＳ１０５へ進み、貯留部１１０ｄに紙幣が搬送されていなければステップＳ１２１へ進む。
【００８３】
（ステップＳ１０５）
判定部１０２は、入金紙幣記番号テーブル２１０の該当する見出し番号（ＩＮＤＥＸ）（初回は０）に記番号が格納されているかを確認する。判定部１０２は、該当する見出し番号に記番号が格納されていればステップＳ１０７へ進み、該当する見出し番号に記番号が格納されなければステップＳ１２１へ進む。
【００８４】
（ステップＳ１０７）
判定部１０２は、異常紙幣記番号テーブル２２０の該当する見出し番号（ＩＮＤＥＸ）（初回は０）に記番号が格納されているかを確認する。判定部１０２は、該当する見出し番号に記番号が格納されていればステップＳ１０９へ進み、該当する見出し番号に記番号が格納されなければステップＳ１１７へ進む。
【００８５】
（ステップＳ１０９）
判定部１０２は、入金紙幣記番号テーブル２１０の該当する見出し番号（ＩＮＤＥＸ）（初回は０）に格納された記番号と、異常紙幣記番号テーブル２２０の該当する見出し番号（ＩＮＤＥＸ）（初回は０）に格納された記番号とを比較し、これら記番号が一致するか否かを判定する。判定部１０２は、上記記番号が一致した場合（同一記番号検知紙幣が存在した場合）には、ステップＳ１１１へ進み、上記記番号が一致していない場合には、ステップＳ１１９へ進む。なお、この際、入金紙幣記番号テーブル２１０の該当する見出し番号に格納された記番号と一致する記番号が、異常紙幣記番号テーブル２２０内に２つ含まれているような場合であっても、判定部１０２は、異常紙幣記番号テーブル２２０の該当する見出し番号に格納された記番号が、入金紙幣記番号テーブル２１０の該当する見出し番号に格納された記番号と一致するか否かを判定する。
【００８６】
（ステップＳ１１１）
判定部１０２は、上述のステップＳ１０９で探索された同一記番号検知紙幣の１つ後に、入金紙幣記番号テーブル２１０及び異常紙幣記番号テーブル２２０に記番号が格納された後続紙幣において、記番号が一致するか否かを判定する。判定部１０２は、後続紙幣において記番号が一致した場合には、ステップＳ１１３へ進み、後続紙幣において記番号が一致していない場合には、ステップＳ１１５へ進む。
【００８７】
（ステップＳ１１３）
判定部１０２は、紙幣の鑑別が一巡したと判定し、処理を終了する。
【００８８】
（ステップＳ１１５）
判定部１０２は、上述のステップＳ１０９で探索された同一記番号検知紙幣の１つ前に、入金紙幣記番号テーブル２１０及び異常紙幣記番号テーブル２２０に記番号が格納された先行紙幣において、記番号が一致するか否かを判定する。判定部１０２は、先行紙幣において記番号が一致した場合には、ステップＳ１１３へ進み、先行紙幣において記番号が一致していない場合には、ステップＳ１１７へ進む。
【００８９】
（ステップＳ１１７）
判定部１０２は、入金紙幣記番号テーブル２１０における探索の対象となる紙幣の見出し番号（ＩＮＤＥＸ）を１つ大きく設定し、さらに異常紙幣記番号テーブル２２０において探索の対象となる紙幣の見出し番号（ＩＮＤＥＸ）を０に設定し、ステップＳ１０５へ戻る。
【００９０】
（ステップＳ１１９）
判定部１０２は、異常紙幣記番号テーブル２２０における探索の対象となる紙幣の見出し番号（ＩＮＤＥＸ）を１つ大きく設定し、ステップＳ１０７へ戻る。
【００９１】
（ステップＳ１２１）
判定部１０２は、紙幣の鑑別が一巡していないと判定し、処理を終了する。
【００９２】
＜実施例＞
以上、本実施形態に係る判定方法について説明した。次に、具体的な実施例を示しながら本実施形態に係る入金処理における判定方法について、図４から図１０を参照して、より具体的に説明する。図４から図１０は、本実施形態に係る入金処理を説明するための説明図である。詳細には、図４から図１０の上段の図は、紙幣入出金機１０での入金処理の各段階における紙幣の動きを模式的に示しており、これら図の下段の表は、入金処理の各段階において記憶部１４０の記番号記憶領域２００に格納されるテーブルの状態を示している。なお、以下に示す実施例は、本実施形態に係る入金処理のあくまでも一例であって、本実施形態に係る入金処理が下記の例に限定されるものではない。
【００９３】
まずは、図４の上段に示すように、本実施形態に係る紙幣入出金機１０の接客部１２０に、６枚の紙幣（紙幣１、紙幣２、紙幣３、紙幣４、紙幣５、紙幣６）が顧客等により投入されたものとする。この段階では、図４の下段に示すように、入金紙幣記番号テーブル２１０及び異常紙幣記番号テーブル２２０には、鑑別部１３０による鑑別及び記番号の読取りが行われていないことから、記番号は格納されていない。なお、入金紙幣記番号テーブル２１０及び異常紙幣記番号テーブル２２０においては、それぞれ、上の行には、記番号が格納された順番を示す見出し番号（ＩＮＤＥＸ）が格納されており、下の行には、記番号が格納される。
【００９４】
続いて、紙幣入出金機１０は、接客部１２０に投入された紙幣を１枚ずつ分離し、鑑別部１３０へ搬送する。そして、紙幣入出金機１０は、鑑別部１３０における鑑別結果に基づいて、正常紙幣と判断された紙幣を一時収納部１５０へ搬送し、異常紙幣と判断された紙幣を貯留部１１０ｄへ搬送する。なお、本実施形態においては、貯留部１１０ｄに集積された紙幣の量が、貯留部１１０ｄに集積可能な紙幣の量（ここでは３枚）に達するまで、紙幣入出金機１０は、紙幣を接客部１２０から鑑別部１３０へ搬送し、当該紙幣を鑑別部１３０の鑑別結果に応じた集積先に搬送することを継続する。
【００９５】
詳細には、紙幣入出金機１０は、紙幣１から紙幣３までを鑑別部１３０へ順次搬送する。そして、紙幣入出金機１０は、鑑別部１３０により異常紙幣と判定された紙幣１、紙幣２、紙幣３を貯留部１１０ｄへ搬送し、図５の上段に示すような状態となる（１回目の入金段階）。
【００９６】
図５の下段に示すように、入金紙幣記番号テーブル２１０は、鑑別部１３０で読取った紙幣の記番号を読取った順番に格納する。詳細には、入金紙幣記番号テーブル２１０は、紙幣１、紙幣２、紙幣３の順番で、これら紙幣の記番号を格納する。一方、異常紙幣記番号テーブル２２０は、接客部１２０へ返却された紙幣がないことから、この時点では記番号を格納していない。なお、先に説明したように、図４から図１０においては、入金紙幣記番号テーブル２３０及び異常紙幣記番号テーブル２４０に格納される記番号として、具体的な記番号の代わりに、紙幣の名称（例えば「紙幣１」）が示されている。
【００９７】
本実施形態においては、この段階において、貯留部１１０ｄに紙幣が搬送、集積されているため（図３のステップＳ１０３）、判定部１０２は、上述した図３のフローチャートに従って紙幣の鑑別が一巡したかの判定を行うこととなる。しかしながら、異常紙幣記番号テーブル２４０に記番号が格納されていない（図３のステップＳ１０５）ことから、判定部１０２は、最終的に、紙幣の鑑別は一巡していないと判定し（図３のステップＳ１２１）、処理を終了する。
【００９８】
従って、紙幣入出金機１０は、紙幣の鑑別が一巡していないことから、入金処理を継続することとなる。
【００９９】
次に、本実施形態においては、紙幣入出金機１０は、貯留部１１０ｄに集積された紙幣１、紙幣２、紙幣３を、鑑別部１３０を通過させ、接客部１２０へ返却する。この際、後から貯留部１１０ｄに集積された紙幣から先に接客部１２０へ返却されることから、貯留部１１０ｄに集積された紙幣は、これら紙幣が接客部１２０から搬送される順番とは逆の順番で接客部１２０へ返却されることとなる。詳細には、紙幣入出金機１０は、紙幣３、紙幣２、紙幣１の順番でこれら紙幣を接客部１２０へ返却する。そして、紙幣入出金機１０は、図６の上段に示すような状態となる（１回目の返却段階）。
【０１００】
そして、異常紙幣記番号テーブル２２０は、鑑別部１３０で異常紙幣と判定されて接客部１２０へ返却された紙幣の記番号を接客部１２０に返却された順番で格納する。詳細には、異常紙幣記番号テーブル２２０は、紙幣３、紙幣２、紙幣１の順番で、これら紙幣の記番号を格納する。
【０１０１】
続いて、紙幣入出金機１０は、さらに接客部１２０から紙幣の搬送を続ける。この際、入金紙幣記番号テーブル２１０に格納された記番号（図６の下段参照）は、全て消去される。詳細には、紙幣入出金機１０は、接客部１２０に収納されていた紙幣４、紙幣５、紙幣６、紙幣３を鑑別部１３０へ順次搬送する。そして、紙幣入出金機１０は、異常紙幣と判定された紙幣５、紙幣６、紙幣３を貯留部１１０ｄへ搬送し、正常紙幣と判定された紙幣４を一時収納部１５０へ搬送し、図７の上段に示すような状態となる（２回目の入金段階）。
【０１０２】
そして、図７の下段に示すように、入金紙幣記番号テーブル２１０は、鑑別部１３０で読取った紙幣の記番号を読取った順番で新たに格納する。詳細には、入金紙幣記番号テーブル２１０は、紙幣４、紙幣５、紙幣６、紙幣３の順番で、これら紙幣の記番号を格納する。一方、この段階では、図７の下段に示すように、異常紙幣記番号テーブル２２０は、先の返却段階で格納された紙幣３、紙幣２、紙幣１の記番号を格納した状態のままである。
【０１０３】
本実施形態においては、この段階において貯留部１１０ｄに紙幣が搬送、集積されているため（図３のステップＳ１０３）、判定部１０２は、上述した図３のフローチャートに従って、紙幣の鑑別が一巡したかの判定を行うこととなる。
【０１０４】
詳細には、入金紙幣記番号テーブル２１０及び異常紙幣記番号テーブル２２０に記番号が格納されていることから、図３のステップＳ１０５及びステップＳ１０７に該当し、従って、判定部１０２は、同一記番号検知紙幣の探索を行う図３のステップＳ１０９に進むことができる。
【０１０５】
そして、図７の下段に示すように、入金紙幣記番号テーブル２１０の見出し番号（ＩＮＤＥＸ）３の紙幣の記番号（紙幣３）と、異常紙幣記番号テーブル２２０の見出し番号（ＩＮＤＥＸ）０の紙幣の記番号とが一致する（紙幣３）。従って、図３のステップＳ１０９に該当する（同一記番号検知紙幣が存在する）ことから、判定部１０２は、次のステップＳ１１１へ進むことができる。
【０１０６】
しかしながら、後続紙幣の記番号の一致を判定するステップＳ１１１では、入金紙幣記番号テーブル２１０では同一記番号検知紙幣の次に記番号が格納されていないことから、後続紙幣の記番号は一致しないこととなる。従って、判定部１０２は、先行紙幣の記番号の一致を判定するステップＳ１１５へ進むこととなる。さらに、先行紙幣の記番号の一致を判定するステップＳ１１５では、異常紙幣記番号テーブル２２０では同一記番号検知紙幣の前に記番号が格納されていないことから、先行紙幣の記番号は一致しないこととなる。従って、判定部１０２は、紙幣の鑑別が一巡していないと判定し（図３のステップＳ１２１）、処理を終了する。そして、紙幣入出金機１０は、紙幣の鑑別が一巡していないことから、入金処理をさらに継続することとなる。
【０１０７】
次に、紙幣入出金機１０は、貯留部１１０ｄに集積された紙幣３、紙幣６、紙幣５を接客部１２０へ返却する。この際、後から貯留部１１０ｄに集積された紙幣から先に、接客部１２０へ返却されることから、これら紙幣は、接客部１２０から搬送される順番とは逆の順番で接客部１２０へ返却される。より具体的には、紙幣入出金機１０は、紙幣３、紙幣６、紙幣５の順番で、これら紙幣を接客部１２０へ返却する。そして、紙幣入出金機１０は、図８の上段に示すような状態となる（２回目の返却段階）。
【０１０８】
そして、異常紙幣記番号テーブル２２０は、鑑別部１３０で異常紙幣と判定されて接客部１２０へ返却された紙幣の記番号を、接客部１２０に返却された順に、異常紙幣記番号テーブル２２０の内の記番号が収納されていない欄（図８の領域４００）に追加的に格納する。詳細には、異常紙幣記番号テーブル２２０は、紙幣３、紙幣６、紙幣５の順番で、これら紙幣の記番号を領域４００に格納する。
【０１０９】
続いて、紙幣入出金機１０は、さらに接客部１２０から紙幣の搬送を続ける。この際、入金紙幣記番号テーブル２１０に格納された記番号（図８の下段参照）は全て消去される。詳細には、紙幣入出金機１０は、接客部１２０に収納されていた紙幣２、紙幣１、紙幣３を鑑別部１３０へ順次搬送する。そして、紙幣入出金機１０は、異常紙幣と判定された紙幣２、紙幣１、紙幣３を貯留部１１０ｄへ搬送し、図９の上段に示すような状態となる（３回目の入金段階）。
【０１１０】
そして、図９の下段に示すように、入金紙幣記番号テーブル２１０は、鑑別部１３０で読取った紙幣の記番号を読み取った順に新たに格納する。詳細には、入金紙幣記番号テーブル２１０は、紙幣２、紙幣１、紙幣３の順番で、これら紙幣の記番号を格納する。一方、この段階では、図９の下段に示すように、異常紙幣記番号テーブル２２０は、これまで実施した返却段階で格納された記番号を格納した状態のままである。
【０１１１】
本実施形態においては、この段階において貯留部１１０ｄに紙幣が搬送、集積されているため（図３のステップＳ１０３）、判定部１０２は、上述した図３のフローチャートに従って、紙幣の鑑別が一巡したかの判定を行うこととなる。
【０１１２】
詳細には、図９の下段に示すように、入金紙幣記番号テーブル２１０及び異常紙幣記番号テーブル２２０に記番号が格納されているため、図３のステップＳ１０５及びステップＳ１０７に該当する。従って、判定部１０２は、同一記番号検知紙幣の探索を行う図３のステップＳ１０９に進むことができる。
【０１１３】
そして、図９の下段に示すように、入金紙幣記番号テーブル２１０の見出し番号（ＩＮＤＥＸ）０の紙幣の記番号（紙幣２）と、異常紙幣記番号テーブル２２０の見出し番号（ＩＮＤＥＸ）１の紙幣の記番号（紙幣２）とが一致する。従って、図３のステップＳ１０９に該当する（同一記番号検知紙幣が存在する）ことから、判定部１０２は、次のステップＳ１１１へ進むことができる。
【０１１４】
さらに、後続紙幣の記番号の一致を判定するステップＳ１１１では、入金紙幣記番号テーブル２１０の見出し番号（ＩＮＤＥＸ）１の紙幣の記番号（紙幣１）と、入金紙幣記番号テーブル２１０の見出し番号（ＩＮＤＥＸ）２の紙幣の記番号（紙幣１）とが一致する。従って、判定部１０２は、紙幣の鑑別が一巡していると判定し（ステップＳ１１３）、処理を終了する。
【０１１５】
次に、３回目の入金段階において、紙幣入出金機１０が、図９とは異なる図１０の状態になった場合を説明する。詳細には、紙幣入出金機１０は、接客部１２０に収納されていた紙幣２、紙幣１、紙幣３、紙幣６を鑑別部１３０へ順次搬送する。そして、紙幣入出金機１０は、異常紙幣と判定された紙幣１、紙幣３、紙幣６を貯留部１１０ｄへ搬送し、正常紙幣と判定された紙幣２を一時収納部１５０へ搬送し、図１０の上段に示すような状態となる（３回目の入金段階）。
【０１１６】
そして、図１０の下段に示すように、入金紙幣記番号テーブル２１０は、鑑別部１３０で読取った紙幣の記番号を読み取った順に新たに格納する。詳細には、入金紙幣記番号テーブル２１０は、紙幣２、紙幣１、紙幣３、紙幣６の順番で、これら紙幣の記番号を格納する。しかしながら、紙幣１については、鑑別部１３０によって記番号が読み取れなかったことから、紙幣１に対応する入金紙幣記番号テーブル２１０の見出し番号（ＩＮＤＥＸ）１には、記番号が格納されず、代わりに記番号が読取れなかった旨の情報が格納されている。
【０１１７】
そして、本実施形態においては、この段階において貯留部１１０ｄに紙幣が搬送、集積されているため（ステップＳ１０３）、判定部１０２は、上述した図３のフローチャートに従って、紙幣の鑑別が一巡したかの判定を行うこととなる。
【０１１８】
詳細には、図１０の下段に示すように、入金紙幣記番号テーブル２１０及び異常紙幣記番号テーブル２２０に記番号が格納されているため、図３のステップＳ１０５及びステップＳ１０７に該当する。従って、判定部１０２は、同一記番号検知紙幣の探索を行う図３のステップＳ１０９に進むことができる。
【０１１９】
そして、図１０の下段に示すように、入金紙幣記番号テーブル２１０の見出し番号（ＩＮＤＥＸ）０の紙幣の記番号（紙幣２）と、異常紙幣記番号テーブル２２０の見出し番号（ＩＮＤＥＸ）１の紙幣の記番号（紙幣２）とが一致する（紙幣２）。従って、図３のステップＳ１０９に該当する（同一記番号検知紙幣が存在する）ことから、判定部１０２は、次のステップＳ１１１へ進むことができる。しかしながら、後続紙幣の記番号の一致を判定するステップＳ１１１では、入金紙幣記番号テーブル２１０では同一記番号検知紙幣の次に記番号が格納されていないことから、後続紙幣の記番号は一致しないこととなり、判定部１０２は、先行紙幣の記番号の一致を判定するステップＳ１１５へ進むこととなる。さらに、先行紙幣の記番号の一致を判定するステップＳ１１５では、入金紙幣記番号テーブル２１０では同一記番号検知紙幣の前に記番号が格納されていないことから、先行紙幣の記番号は一致しないこととなる。そして、判定部１０２は、図３のフローチャートに従って、ステップＳ１０９等に繰り返し、記番号が一致する同一記番号検知紙幣の探索を継続する。
【０１２０】
次に、図１０の下段に示すように、入金紙幣記番号テーブル２１０の見出し番号（ＩＮＤＥＸ）２の紙幣の記番号（紙幣３）と、異常紙幣記番号テーブル２２０の見出し番号（ＩＮＤＥＸ）０の紙幣の記番号（紙幣３）とが一致する。従って、図３のステップＳ１０９に該当する（同一記番号検知紙幣が存在する）ことから、判定部１０２は、次のステップＳ１１１へ進むことができる。しかしながら、後続紙幣の記番号の一致を判定するステップＳ１１１では、入金紙幣記番号テーブル２１０における同一記番号検知紙幣の次の紙幣の記番号（紙幣６）と、異常紙幣記番号テーブル２２０における同一記番号検知紙幣の次の紙幣の記番号（紙幣２）とが一致していないことから、判定部１０２は、次のステップＳ１１５へ進むこととなる。さらに、先行紙幣の記番号の一致を判定するステップＳ１１５では、入金紙幣記番号テーブル２１０では同一記番号検知紙幣の前に記番号が格納されていないため、先行紙幣の記番号が一致しないこととなる。そして、判定部１０２は、図３のフローチャートに従って、ステップＳ１０９等に繰り返し、記番号が一致する同一記番号検知紙幣の探索をさらに継続する。
【０１２１】
次に、図１０の下段に示すように、入金紙幣記番号テーブル２１０の見出し番号（ＩＮＤＥＸ）３の紙幣の記番号（紙幣６）と、異常紙幣記番号テーブル２２０の見出し番号（ＩＮＤＥＸ）４の紙幣の記番号（紙幣６）とが一致する。従って、図３のステップＳ１０９に該当する（同一記番号検知紙幣が存在する）ことから、判定部１０２は、次のステップＳ１１１へ進むことができる。そして、後続紙幣の記番号の一致を判定するステップＳ１１１では、入金紙幣記番号テーブル２１０では同一記番号検知紙幣の次に記番号が格納されていないため、後続紙幣の記番号が一致していないこととなる。従って、判定部１０２は、次のステップＳ１１５へ進むこととなる。しかしながら、先行紙幣の記番号の一致を判定するステップＳ１１５では、入金紙幣記番号テーブル２１０における同一記番号検知紙幣の前の紙幣の記番号（紙幣３）と、異常紙幣記番号テーブル２２０における同一記番号検知紙幣の前の紙幣の記番号（紙幣３）とが一致するため、判定部１０２は、紙幣の鑑別が一巡していると判定し（ステップＳ１１３）、処理を終了する。
【０１２２】
すなわち、比較例に係る紙幣入出金機２０においては、同一記番号検知紙幣を探索し、さらに後続紙幣において記番号が一致するか否かを判定することによって、紙幣の鑑別が一巡したことを判定していた。一方、本実施形態に係る紙幣入出金機１０においては、同一記番号検知紙幣を探索し、さらに後続紙幣及び先行紙幣において記番号が一致するか否かを判定することによって、紙幣の鑑別が一巡したことを判定している。
【０１２３】
以上のように、本発明の実施形態によれば、鑑別部１３０によって異常紙幣と判定された紙幣が、接客部１２０から鑑別部１３０へ搬送された順番とは逆の順番で接客部１２０へ返却されるような紙幣入出金機１０であっても、同一記番号検知紙幣を探索し、さらに後続紙幣又は先行紙幣において記番号が一致するか否かを判定することによって、紙幣の鑑別が一巡したことを判定することができる。
【０１２４】
＜＜補足＞＞
上述の説明においては、紙幣入出金機１０における入金処理を例に説明したが、本発明の実施形態は、入金処理に限定されるものではなく、例えば、紙幣入出金機１０の出金処理に適用することもできる。また、上述の説明においては、紙幣が収納される紙幣入出金機１０内の収納庫として、接客部１２０、一時収納部１５０、及び貯留部１１０ｄが挙げていたが、このような収納庫に限定されるものではなく、他の収納庫を使用してもよい。また、先に説明したように、本発明の実施形態は、紙幣の入出金を行う紙幣入出金機１０への適用に限定されるものではなく、金券、チケット、伝票等の媒体を処理する媒体処理装置に適用することも可能である。
【０１２５】
上述した本発明の実施形態の入金処理及び判定方法における各ステップは、必ずしも記載された順序に沿って処理されなくてもよい。例えば、各ステップは、適宜順序が変更されて処理されてもよい。また、各ステップは、時系列的に処理される代わりに、一部並列的に又は個別的に処理されてもよい。さらに、各ステップの処理についても、必ずしも記載された方法に沿って処理されなくてもよく、例えば、他の機能部によって他の方法で処理されていてもよい。
【０１２６】
さらに、上記の実施形態に係る入金処理及び判定方法の少なくとも一部は、コンピュータを機能させる情報処理プログラムとして、ソフトウェアで構成することが可能であり、ソフトウェアで構成する場合には、これらの方法の少なくとも一部を実現するプログラムをフレキシブルディスクやＣＤ−ＲＯＭ（Ｃｏｍｐａｃｔ  Ｄｉｓｃ  Ｒｅａｄ  Ｏｎｌｙ  Ｍｅｍｏｒｙ）等の記録媒体に収納し、紙幣入出金機１０等、もしくは、紙幣入出金機１０と接続された他の装置に読み込ませて実行させてもよい。記録媒体は、磁気ディスクや光ディスク等の着脱可能なものに限定されず、ハードディスク装置やメモリなどの固定型の記録媒体でもよい。さらに、これらの方法の少なくとも一部を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【０１２７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１２８】
１０、２０    紙幣入出金機
１００    制御部
１０２    判定部
１１０、１１２    搬送部
１１０ｂ、１１２ｃ    分岐部
１１０ｄ    貯留部
１２０    接客部
１２２    供給口
１２４    返却口
１３０    鑑別部
１４０    記憶部
１５０    一時収納部
１６０    カセット
１７０    第１の収納庫
１８０    第２の収納庫
１９０    シャッタ
２００    記番号記憶領域
２１０、２３０    入金紙幣記番号テーブル
２２０、２４０    異常紙幣記番号テーブル
３０２、３０４、３０６    ブレード
４００、４２０    領域
【図１】
2019066916.tif 000003
【図２】
2019066916.tif 000004
【図３】
2019066916.tif 000005
【図４】
2019066916.tif 000006
【図５】
2019066916.tif 000007
【図６】
2019066916.tif 000008
【図７】
2019066916.tif 000009
【図８】
2019066916.tif 000010
【図９】
2019066916.tif 000011
【図１０】
2019066916.tif 000012
【図１１】
2019066916.tif 000013
【図１２】
2019066916.tif 000014
【図１３】
2019066916.tif 000015
【図１４】
2019066916.tif 000016